(57)【要約】【課題】  本発明の課題は、カバンの把手が紐状であったり帯状であっとしても、簡単にかつ確実に固定することができる、カバン用ハンガーを提案することにある。【解決手段】  本発明の、カバンＢ１の外側に取り付けて、被服Ｗを保持するカバン用ハンガーＡは、周囲を囲まれた内側空間部１ｓをカバンの把手Ｈ２に嵌め込んで外嵌可能なカバン保持部１と、該カバン保持部１と一体に形成された、衣服Ｗを吊るす衣服保持部２とを有し、前記カバン保持部２と前記衣服保持部１との間に、前記カバン保持部１と選択的に帯又はひも状のカバンの把手Ｈ２を挟んで保持するスリット４を形成ことにより上記課題を解決する。【選択図】図４
2007050044.tif 000002
【特許請求の範囲】
【請求項１】
カバンの外側に取り付けて、被服を保持するカバン用ハンガーであって、
周囲を囲まれた内側空間部をカバンの把手に嵌め込んで外嵌可能なカバン保持部と、
該カバン保持部と一体に形成された、衣服を吊るす衣服保持部とを有し、
前記カバン保持部と前記衣服保持部との間に、前記カバン保持部と選択的に帯又はひも状のカバンの把手を挟んで保持するスリットを形成したことを特徴とするカバン用ハンガー。
【請求項２】
請求項１記載のカバン用ハンガーであって、
前記スリットは、前記カバン保持部の外周縁に開放されていることを特徴とするカバン用ハンガー。
【請求項３】
請求項１記載のカバン用ハンガーであって、
前記スリットは、前記カバン保持部の内側空間部側に開放されていることを特徴とするカバン用ハンガー。
【請求項４】
請求項１記載のカバン用ハンガーであって、
前記衣服保持部は、前記カバン保持部側の第１保持体と、該第１保持体に対して一端が連結され、他端が自由端となっている第２保持体と、該第２保持部の自由端を前記第１保持部に固定可能な係止体とを有し、衣服を前記第１保持部と前記第２保持部との間で挟持して保持することを特徴とするカバン用ハンガー。
【請求項５】
請求項１記載のカバン用ハンガーであって、
前記カバン保持部の内側空間部に沿って、または内側空間部内を一方から他方に張設した抜け止め用バンドと、該バンドの中途部を、取り付けたカバンの把手の中央部を通して、該カバン保持部の一部に固定可能なバンド固定具とを有することを特徴とするカバン用ハンガー。
【請求項６】
請求項５記載のカバン用ハンガーであって、
前記抜け止め用バンドは、カバン保持部の一部を形成することを特徴とするカバン用ハンガー。
【発明の詳細な説明】
【技術分野】
【０００１】
本発明は、カバンの把手に取り付けて、カバンの側面に上着などの衣服を吊るすことが出来るカバン用ハンガーであって、特に、カバンの把手が帯状や紐状のものであっても、カバンの把手の形状を選ぶことなく取り付けることができるカバン用ハンガーに関する。
【背景技術】
【０００２】
近年、夏場において、気温の高い野外と冷房の効いている屋内とを行き来する場合が多く、冷房の効いた屋内用に上着を持ち歩くケースが多くなっている。この場合、カバンと一緒に衣服を持ち歩くことが出来れば便利であるが、従来からカバンの把手に取り付けられ、カバンの側面に衣服を吊るすためのカバン用ハンガーが存在した。例えば、下記特許文献１のように、環状体となった把手保持部をカバンの把手に外嵌して取り付けるとともに、その側部に形成した衣服保持体に衣服を吊るすことにより、カバンの側面に衣服を垂らし、持ち運べるような構造のカバン用ハンガーが提案されている。
【０００３】
【特許文献１】特開２００１−７００２９号
【特許文献２】特開２０００−８３７９３号
【特許文献３】実用新案登録第３１００１４８号
【０００４】
これらカバン用ハンガーはすべてスーツケースのような、ハードカバン用のハンガーに対する使用を想定したものであった。すなわち、これらカバン用ハンガーはカバンが所定の厚みを有し把手がその上面に取り付けられている種類のカバンにしか使用ができず、取り付けることができるカバンが限定されるという問題があった。特に、女性が社会進出している近年において、上記カバン用ハンガーでは、女性が多く用いるショルダーバッグに使用することができず、ニーズに答えられないという問題点があった。
【０００５】
そこで本発明の課題は、カバンの把手が紐状であったり帯状であっとしても、簡単にかつ確実に固定することができる、カバン用ハンガーを提案することにある。
【発明の開示】
【課題を解決するための手段】
【０００６】
本発明のカバン用ハンガーは、囲まれた内側空間部をカバンの把手に嵌め込んで外嵌可能なカバン保持部と、該カバン保持部と一体に形成された、衣服を吊るす衣服保持部とを有し、前記カバン保持部と前記衣服保持部との間に、前記カバン保持部と選択的に帯又はひも状のカバンの把手を挟んで保持するスリットを形成したことを特徴とする。
【０００７】
また、前記カバン用ハンガーのスリットは、カバン保持部の空間部側に開放される構造になっていてもよく、また、前記カバン保持部の該周縁側に開放されている構造であってもよい。
【発明の効果】
【０００８】
本発明のカバン用ハンガーによれば、把手が紐状や帯状である場合のように、カバン保持部がカバンの把手に外嵌できない場合であっても、そのような把手をスリットに滑り込ませることにより、当該ハンガーをカバンに確実に保持することができる。
【発明を実施するための最良の形態】
【０００９】
（第一実施形態）
本発明の実施の形態を図面に従って詳述する。図１は本発明の第一実施形態にかかるカバン用ハンガーＡの説明図である。同図(a) は通常状態のカバン用ハンガーを示す説明図、同図(b) は衣服を保持した状態でカバンに取り付けたカバン用ハンガーを示す説明図である。また、図２乃至図４は同第一実施形態のカバン用ハンガーの使用状態を示す説明図である。
【００１０】
図１(a) に示すように、カバン用ハンガーＡは、環状のカバン保持部１と、ヘアピン状の衣服保持部２を合成樹脂により一体成型した構造を有する。
【００１１】
カバン保持部１は、変形を防止するために断面Ｉ型となったビームを環状に折り曲げた形状を有し、このうち衣服保持部２側の底辺１ａ側にはその側面に溝部１ｂが形成されており、この溝部１ｂには弾性を有し伸縮可能な抜け止め用バンド３を取り付けている。また、カバン保持部１のこの底辺１ａには、その中央にバンド固定具たるフック１ｃが形成されている（使用方法については後述する）。
【００１２】
衣服保持部２は、同様に断面Ｉ型となったビームを中途部で折り返した形状を有し、上方の第１保持体たる第１アーム２ａと、下方の第２保持体たる第２アーム２ｂとを折り返し部たるヒンジ２ｃで連結した構造となっている。そして、これら第１アーム２ａと第２アーム２ｂの自由端には、それぞれ係止穴２ｄと係止突起２ｅとが形成されており、係止穴２ｄに係止突起２ｅを挿入することで、第１アーム２ａと第２アーム２ｂとを重ねた状態で保持可能な構造となっている。なお、係止突起２ｅの両側には板バネ２ｆが形成されており、両者の係合を解除する際に、第２アーム２ｂを第１アーム２ａから離れる方向に付勢しており、両者の分離を円滑にできるようにしている。
【００１３】
カバン保持部１と衣服保持部２とは両者の中央部において一体化しておりこの部分が連結部Ｘとなっている。そしてこの連結部Ｘの両側、すなわちカバン保持部１の底辺１ａと衣服保持部２の第１アーム２ａとの間には２つのスリット４が形成される。このスリット４は、カバン保持部１の外周縁側に開放されており、カバン保持部１の外側に開く片開きスリットとなっている。
【００１４】
抜け止め用バンド３は、両端にビーズ３ａを固定し、両側をクリップ３ｂで束ねることによって、環状体となっている。クリップ３ｂの固定位置を変更させることで、抜け止め用バンド３の長さを調節可能な構造としている。
【００１５】
次に、図１(b) 乃至図４を用いて本実施形態のカバン用ハンガーＡの使用方法を説明する。
【００１６】
まず、図１(b) 及び図２は、カバン用ハンガーＡを、把手Ｈ１がカバンの上面中央に取り付けられたハードカバンＢ１に取り付けた状態を示す。これらの図に示すように、カバン用ハンガーＡは、衣服保持部２の第１アーム２ａと第２アーム２ｂとの間に上着などの衣服Ｃを挟んで保持し、さらに、ハードカバンＢ１の把手Ｈ１をカバン保持部１の内側空間部１ｓに嵌め込むようにして使用される。
【００１７】
この状態にあっては、衣服ＣはハードカバンＢ１の側面に沿って保持され、衣服にシワをつけることなくハードカバンＢ１と一緒に持ち歩くことができる。
【００１８】
カバン保持部１を把手Ｈ１に外嵌した際、カバン保持部１に取り付けられてる抜け止め用バンド３を、カバン保持部１の底辺１ａの反対側に、すなわち、底辺１ａと抜け止め用バンド３との間に把手Ｈ１を挟むように巻き掛る。そして、このバンド３の中途部を把手Ｈ１の中央部を通して、フック１ｃに固定することで、バンド３がハードカバンＢ１の把手Ｈ１をカバン保持部１の底辺１ａに押し付けて、固定することができる。
【００１９】
この抜け止め用バンド３は従来の同様なカバン用ハンガー（例えば、従来技術として示した特開２００１−７００２９号、特開２０００−８３７９３号、実用新案登録第３１００１４８号）にはない新規な発明である。従来のカバン用ハンガーは、カバン保持部は単なる環体であって、単に、このカバン保持部ををカバンの把手に外嵌し、同把手に引っ掛けることによりカバン用ハンガーを保持する単純な構造を有していたが、衣服保持部にジャケット等の重い衣服が掛けられると、把手から手を離した場合に衣服の重さに引っ張られて、カバン用ハンガーがカバンの把手から脱落してしまう場合があった。特に、使用者がカバンをショルダーバックのように肩掛けで保持する際には使用者は把手を手で握らないので使用できない、という問題点があった。
【００２０】
このように、通常の状態ではカバンＢ１の運搬者が把手Ｈ１を握るために、カバン保持部１が把手Ｈ１から脱落することはないが、抜け止め用バンド３を把手Ｈ１の中央部に通しているために、例えば、ショルダーバック方式にカバンを持つ際に運搬者が把手Ｈ１から手を離したとしても、カバン保持部１が把手１から脱落することはない。
【００２１】
次に、図３及び図４は、カバン用ハンガーＡを、把手Ｈ２が紐状もしくは帯状であって、カバンの側面に取り付けられたソフトカバンＢ２に取り付けた状態を示す。この場合、カバン用ハンガーＡは、把手Ｈ２をスリット４に挟み込むようにして使用される。、
【００２２】
ソフトカバンＢ２の把手Ｈ２は、カバン保持部１の両側の外周縁側からスリット４に差し込むようにして、固定する。この際、把手Ｈ２にある程度厚みがあったとしても、スリット４はカバン保持部１と衣服保持部２の連結部分Ｘを中心として両側に開くため、これを挟持することができる。
【００２３】
（第二実施形態）
本発明の第二実施形態であるカバン用ハンガーＢを、図５に基づいて説明する。図５は、同カバン用ハンガーＢの斜視図である。第一実施形態のカバン用ハンガーＡと同じ構造は、同じ符号を付して説明を省略する。
【００２４】
カバン用ハンガーＢは、カバンの把手が側面から伸びる、トートバックタイプのカバンにも取り付けられる構造を有するものである。衣服保持部２の第１アーム２ａの側面に補助クリップ５を２つ取り付けられており、カバン保持部１またはスリット４を用いることなく、トートバックの側面に取り付けられた把手に保持することができる。
【００２５】
この２つの補助クリップ５は、正面右方向または左方向の一方向に開く構造となっており（図では右方向）、カバン用ハンガーＢをトートバックの側面に当てて、横方向にスライドさせることにより、簡単に把手に引っ掛けることができる。
【００２６】
（第三実施形態）
本発明の第三実施形態であるカバン用ハンガーＣを、図６に基づいて説明する。図６は、同カバン用ハンガーＣの斜視図である。第一実施形態のカバン用ハンガーＡと同じ構造は、同じ符号を付して説明を省略する。
【００２７】
カバン用ハンガーＣは、上面が開放されるカバンに取り付けることができる構造を有するものである。衣服保持部２の第１アーム２ａの側面には、ハサミ型クリップ６が取り付けられている。
【００２８】
ハサミ型クリップ６は、図示しないスプリング６ａによって開閉する洗濯バサミ型のクリップであって、カバンの上部のフチにこれを取り付けてカバン用ハンガーＣを保持するものである。
【００２９】
なお、これら第二実施形態および第三実施形態の補助クリップ５、ハサミ型クリップ６はカバン用ハンガーＢ、Ｃに対して固定式としてもよいし、オプションとして着脱式にしてもよい。
【００３０】
（第四実施形態）
本発明の第四実施形態であるカバン用ハンガーＤを、図７及び図８を用いて説明する。図７(a) に示すように、カバン用ハンガーＤは、Ｃ字状のカバン保持部11と、ヘアピン状の衣服保持部12を合成樹脂により一体成型した構造を有する。
【００３１】
カバン保持部11は、衣服保持部12に対してコ字状となるように一体に形成されており、両側から内側空間部11ｓ側に延長片11ａが両側から伸びている。この延長片11ａの上面は波型に形成され、カバン用ハンガーＤをカバンに装着した際、把手Ｈ１の形状にフィットするように構成されている。
【００３２】
延長片11ａは、カバン保持部11の外縁側にも延長されて左右の連結部Ｘで衣服保持部２と連続しており、衣服保持部２との間にスリット14が形成されている。これらスリット14は、内側空間部11ｓに開放されている。延長片11ａが途切れた、内側空間部11ｓに面する位置には後述する抜け止め用バンド13を引っ掛けるフック11ｃが形成されている。
【００３３】
衣服保持部12は、断面円形の棒体を中途部で折り返した形状を有し、上方の第１保持体たる第１アーム12ａと、下方の第２保持体たる第２アーム12ｂとを折り返し部たるヒンジ12ｃで連結した構造となっている。そして、これら第１アーム12ａの自由端には、係止フック12ａが形成されており、第２アーム12の自由端をこの係止フック12ａに嵌合させることにより第１アーム12ａと第２アーム12ｂとを重ねた状態で保持可能な構造となっている。
【００３４】
抜け止め用バンド13は、両端にビーズ13ａを固定し、カバン保持部11の左右辺に設けられた穴11ｅを通すことによって、内側空間部11ｓの内側に抜け止めバンド13を掛け渡す構造となっている。抜け止めバンド13の中途部、２つの穴11ｅの外側にはそれぞれクリップ13ｂを取り付けており、クリップ13ｂの固定位置を変更させることで、抜け止め用バンド13の長さを調節可能な構造としている。
【００３５】
次に、図７(b) 乃至図８を用いて本実施形態のカバン用ハンガーＤの使用方法を説明する。
【００３６】
図７(b) は、カバン用ハンガーＤを、把手Ｈ１がカバンの上面中央に取り付けられたハードカバンに取り付けた状態を示す。第一実施形態と同様に、カバン用ハンガーＤは、衣服保持部12の第１アーム12ａと第２アーム12ｂとの間に上着などの衣服Ｃを挟んで保持し、さらに、ハードカバンの把手Ｈ１をカバン保持部11の内側空間部11ｓに嵌め込むようにして使用される。
【００３７】
カバン保持部11を把手Ｈ１に外嵌した際、カバン保持部11に取り付けられてる抜け止め用バンド13の中途部を把手Ｈ１の中央部を通して、フック11ｃに固定する。この作業を行うことで、このバンド13がハードカバンの把手Ｈ１をカバン保持部11の延長片11ａに押し付けて、固定することができる。抜け止め用バンド13を把手Ｈ１の中央部に通すことによって運搬者が把手Ｈ１から手を離したとしてもカバン保持部１が把手１から脱落することを防止できることは、第一実施形態と同様である。
【００３８】
次に、図８は、カバン用ハンガーＤを、把手Ｈ２が紐状もしくは帯状のソフトカバンに取り付けた状態を示す。この場合、カバン用ハンガーＤは、把手Ｈ２をスリット14に挟み込むようにして使用される。
【００３９】
ソフトカバンの把手Ｈ２をカバン保持部11の内側空間部11ｓに通し、内側からスリット14に差し込むようにして、固定する。この際、把手Ｈ２にある程度厚みがあったとしても、スリット14はカバン保持部11と衣服保持部12の左右の連結部分Ｘを中心として内部空間側11ｓに開くため、これを挟持することができる。
【００４０】
（第五実施形態）
本発明の第五実施形態であるカバン用ハンガーＥを、図９に基づいて説明する。図９は同カバン用ハンガーの説明図であり、同図(a) は通常状態の同カバン用ハンガーの正面図、同図(b) は使用状態を示す同カバン用ハンガーの正面図である。第四実施形態のカバン用ハンガーＤと同じ構造は、同じ符号を付して説明を省略する。
【００４１】
図９(a) に示すように、カバン用ハンガーＥは、カバン保持部11の上辺が抜け止め用バンド23となった構造を有するものである。カバン保持部11の左右の側辺11ｆ間に掛け渡すように、その先端には伸縮可能なバンド23をインサート成型他の手法により固定している。
【００４２】
このカバン用ハンガーＥをハードカバンの把手Ｈ１に取り付ける場合には、図９(b) に示すように、カバン保持部11をカバンの把手Ｈ１に外嵌した状態で、抜け止め用バンド23を把手Ｈ２の内側を通すように引き伸ばし、フック11ｃに引っ掛ける。これにより、抜け止用バンド23は把手Ｈ１を、カバン保持部11の延長片11ａに押し付けることになり、カバン用ハンガーＥはカバンの把手Ｈ１に対して遊びなく取り付けられることとおなる。
【００４３】
なお、カバン用ハンガーＥに形成されるスリット14の作用については、第四実施形態と同様であり、これを用いてカバン用ハンガーＥをソフトカバンの把手に取り付けることができる。
【産業上の利用可能性】
【００４４】
本発明は、上着などの衣服を脱いで持ち歩く際に、衣服をカバンの側面に保持することができるハンガーに応用可能である。
【図面の簡単な説明】
【００４５】
【図１】本発明の第一実施形態に関するカバン用ハンガーの説明図である。
【図２】同カバン用ハンガーの使用状態を示す説明図である。
【図３】同カバン用ハンガーの使用状態を示す説明図である。
【図４】同カバン用ハンガーの使用状態を示す説明図である。
【図５】本発明の第二実施形態に関するカバン用ハンガーの斜視図である。
【図６】本発明の第三実施形態に関するカバン用ハンガーの斜視図である。
【図７】本発明の第四実施形態に関するカバン用ハンガーの説明図である。
【図８】同カバン用ハンガー同実施形態に関する使用状態を示す説明図である。
【図９】本発明の第五実施形態のカバン用ハンガーの説明図である。
【符号の説明】
【００４６】
Ａ、Ｂ、Ｃ、Ｄ、Ｅ   …カバン用ハンガー
Ｂ１、Ｂ２  …カバン
Ｗ          …衣服
Ｈ１、Ｈ２  …把手
Ｘ    …カバン保持部と衣服保持部の連結部分
１、11    …カバン保持部
２、12    …衣服保持部
２ａ、12a  …第１アーム（第１保持部）
２ｂ、12a  …第２アーム（第２保持部）
３、13    …抜け止め用バンド
４、14    …スリット
５    …補助クリップ
６    …ハサミ型クリップ
【図１】
2007050044.tif 000003
【図２】
2007050044.tif 000004
【図３】
2007050044.tif 000005
【図４】
2007050044.tif 000006
【図５】
2007050044.tif 000007
【図６】
2007050044.tif 000008
【図７】
2007050044.tif 000009
【図８】
2007050044.tif 000010
【図９】
2007050044.tif 000011